(57)【要約】【課題】軒樋の仕上り良い切断を確実にすべく、軒樋に対して治具本体を固定できるようにした軒樋切断治具を提供する。【解決手段】軒樋２の長手方向の任意位置に軒樋２の周方向に亙って軒樋２の外側に被着する治具本体３を有し、この治具本体３に切断具４の切断刃５をガイドさせて軒樋２の切断を行わせるガイド部６を備えた軒樋切断治具１である。軒樋２の外面に弾接させて治具本体３を軒樋２に固定させる押さえ片７を治具本体３に設けた。【選択図】        図１
2005016116.tif 000002
【特許請求の範囲】
【請求項１】
軒樋の長手方向の任意位置に軒樋の周方向に亙って軒樋の外側に被着する治具本体を有し、この治具本体に切断具の切断刃をガイドさせて軒樋の切断を行わせるガイド部を備えた軒樋切断治具において、軒樋の外面に弾接させて治具本体を軒樋に固定させる押さえ片を治具本体に設けたことを特徴とする軒樋切断治具。
【請求項２】
治具本体に内外に貫通する貫通孔を穿孔し、この貫通孔の孔縁の一部から先端が自由端で弾性変形可能な押さえ片を治具本体の内方に向けて突設し、この押さえ片の自由端に貫通孔を通って治具本体の外方に突出するつかみ突起を形成したことを特徴とする請求項１記載の軒樋切断治具。
【発明の詳細な説明】
【０００１】
【発明の属する技術分野】
本発明は、軒樋切断治具に関する発明である。
【０００２】
【従来の技術】
従来から、軒樋の長手方向の任意位置で軒樋を切断するには、軒樋の長手方向の任意位置に軒樋切断治具を位置決めして取り付け、軒樋を切断する切断具の切断刃を軒樋切断治具に設けたガイド部にガイドさせて行われている（たとえば、特許文献１，２参照）。詳しくは、特許文献１の軒樋切断治具３０は、図６のように、軒樋切断治具３０の主体を構成する治具本体３が軒樋２（図７参照）の外形形状に合わせて形成され、ガイド部６を構成するガイド壁２２が治具本体３の側縁に前後に亙るように形成されている。また、特許文献２の軒樋切断治具３１は、図７のように、治具本体３が軒樋２の外形形状に合わせて形成され、ガイド部６を構成するスリット２３が治具本体３に略周方向に亙るように穿設されている。そして、これら軒樋切断治具３０，３１は、軒樋２の長手方向の任意位置で軒樋２の外側を覆うように治具本体３を配置し、ガイド部６であるガイド壁２２やスリット２３に切断具の切断刃を沿わせて軒樋２を切断することで、軒樋２の長手方向の任意位置で軒樋２を仕上りよく切断できるようにされている。
【０００３】
【特許文献１】
特開２００３−９７００２号公報
【特許文献２】
特開２００２−３０７３８１号公報
【０００４】
【発明が解決しようとする課題】
ところで、治具本体３を軒樋２の長手方向の任意位置に配置するには、いずれの軒樋切断治具３０，３１にあっても、軒樋２の長手方向の端部から治具本体３を軒樋２の外面に沿わせるようにスライドさせることで行われている。つまり、治具本体３は軒樋２に対してスライドできるように軒樋２に比べてやや大きい形状に形成されている。しかして、軒樋切断治具３０，３１を軒樋２の長手方向の所定位置に位置決め配置しても、その後、軒樋２の長手方向の力が軒樋切断治具３０，３１にかかったときには、軒樋切断治具３０，３１は軒樋２の長手方向にずれてしまうものであった。そして、切断具の切断刃で軒樋２を切断している最中にこのように治具本体３が軒樋２の長手方向にずれてしまうと、切断具の切断刃の位置を規制するガイド部６の位置がずれ、軒樋２の切り口の形状が乱れてしまって、軒樋２の仕上り良い切断ができなくなるものであった。
【０００５】
本発明は上記の点に鑑みてなされたものであり、軒樋の仕上り良い切断を確実にすべく、軒樋に対して治具本体を固定できるようにした軒樋切断治具を提供することを課題とするものである。
【０００６】
【課題を解決するための手段】
上記課題を解決するために本発明に係る軒樋切断治具は、軒樋２の長手方向の任意位置に軒樋２の周方向に亙って軒樋２の外側に被着する治具本体３を有し、この治具本体３に切断具４の切断刃５をガイドさせて軒樋２の切断を行わせるガイド部６を備えた軒樋切断治具１において、軒樋２の外面に弾接させて治具本体３を軒樋２に固定させる押さえ片７を治具本体３に設けたことを特徴とする。これによると、軒樋２の長手方向の任意位置に被着した治具本体３は押さえ片７によって軒樋２に固定されるから、治具本体３は上記軒樋２の長手方向の任意位置からずれることがなく、しかしてガイド部６の位置もずれることがなくて、軒樋２の仕上り良い切断を確保することができる。
【０００７】
また、治具本体３に内外に貫通する貫通孔８を穿孔し、この貫通孔８の孔縁の一部から先端が自由端で弾性変形可能な押さえ片７を治具本体３の内方に向けて突設し、この押さえ片７の自由端に貫通孔８を通って治具本体３の外方に突出するつかみ突起９を形成したことも好ましい。これによると、治具本体３を軒樋２の長手方向の所定位置に配置するに際し、つかみ突起９を掴んで押さえ片７を外方に引っ張りつづけておけば押さえ片７は軒樋２には弾接されず、治具本体３を軒樋２の長手方向の任意位置にスムーズに移動させて位置決め配置できるのであり、そして、治具本体３が軒樋２の固定位置に位置決め配置されればつかみ突起９を離して押さえ片７を軒樋２に弾接させることで、治具本体３を軒樋２の所定位置に固定できるのである。つまり、治具本体３の軒樋２への取り付け作業をスムーズに行わせることができる。
【０００８】
【発明の実施の形態】
以下、本発明を添付図面に示す実施形態に基づいて説明する。
【０００９】
図１乃至図５に本発明の実施の形態の例を示す。本例の軒樋切断治具１は、角型の軒樋２をその長手方向の任意位置で精度良く切断するために用いられるものである。
【００１０】
角型の軒樋２は、図３（ａ），４（ａ）のように、水平板状の底壁１０の前端から前壁１１が上方に立設し、この底壁１０の後端から後壁１２が上方に立設して形成された断面略Ｕ字状の軒樋２である。前壁１１と後壁１２とは対向しており、前壁１１の上端には後方に向けて突出した前耳部１３が形成され、後壁１２の上端には前方に向けて突出した後耳部１４が形成されている。また本例の軒樋２では、前壁１１と底壁１０との間に軒樋２の内方に突出した段部１５が形成されている。なお、前壁１１から底壁１０を介して後壁１２に至る方向を軒樋２の周方向という。この軒樋２の周方向は軒樋２の長手方向とは略直交する方向である。
【００１１】
軒樋切断治具１は、図１，２のように、軒樋２の長手方向の任意位置に軒樋２の周方向に亙って軒樋２の外側に被着する治具本体３を有し、この治具本体３に切断具４の切断刃５をガイドさせて軒樋２の切断を行わせるガイド部６を備えて構成されている。治具本体３は一定の幅寸法を有し且つ軒樋２の外形形状（断面形状）に合わせた板状に形成されている。詳しくは、治具本体３は、軒樋２の底壁１０の外側を被覆する底壁被覆部１６、軒樋２の前壁１１の外側を被覆する前壁被覆部１７、軒樋２の後壁１２の外側を被覆する後壁被覆部１８を治具本体３の周方向に連設し、軒樋２の前耳部１３を引掛ける前耳フック１９を前壁被覆部１７の上端に形成すると共に、軒樋２の後耳部１４を引掛ける後耳フック２０を後壁被覆部１８の上端に形成したものである。なお、底壁被覆部１６と前壁被覆部１７との間には軒樋２の段部１５の外側を被覆する段部被覆部２１が形成されている。そして、この治具本体３は、連設した底壁被覆部１６、前壁被覆部１７及び後壁被覆部１８で囲まれた治具本体３の内方空間に、治具本体３の幅方向と軒樋２の長手方向を合わせるようにして、軒樋２を位置して取り付けできるようにされている。また、この治具本体３の幅方向の両端部には外方に向けて垂直に突出するガイド壁２２が設けられている。このガイド壁２２はガイド部６を構成しており、つまり、電動鋸２４のような切断具４の切断刃５の側面をガイド壁２２の対向しない側の壁面に沿わせつつ、この切断刃５の切断端面を軒樋２に押し付けるようにして軒樋２を切断させることで、軒樋２の切り口が軒樋２の長手方向と略直交する方向（ガイド壁２２の延設方向と同じ方向）に直線的に切断されるのである（図５）。
【００１２】
また、治具本体３の前壁被覆部１７には、軒樋２の外面に弾接させて治具本体３を軒樋２に固定させる押さえ片７が形成されている。詳しくは、この前壁被覆部１７には治具本体３の内外に貫通する貫通孔８が穿孔され、この貫通孔８の孔縁の一部から先端が自由端で弾性変形可能な押さえ片７が治具本体３の内方に向けて突出されている。この押さえ片７の突出先端である自由端には貫通孔８を通って治具本体３の外方に突出するつかみ突起９が形成されている。詳しくは、つかみ突起９は押さえ片７の自由端の部位を外方に折り返すことで簡単に形成されている。
【００１３】
本例の軒樋切断治具１を軒樋２の長手方向の任意位置に位置させる際には、図３のように、軒樋２の長手方向の端部から治具本体３を軒樋２の長手方向に向けてスライドさせることで（矢印Ｃ）、軒樋２の外側を覆うように治具本体３が係合される。この軒樋２と治具本体３との係合状態では、治具本体３の前耳フック１９が軒樋２の前耳部１３に引掛け係止されると共に、治具本体３の後耳フック２０が軒樋２の後耳部１４に引掛け係止されるので、治具本体３は軒樋２の長手方向にのみ摺動自在にされている。そして、図４のように、続けて治具本体３を軒樋２の長手方向に所定量スライドさせることで、治具本体３が軒樋２の長手方向の所定位置に位置決め配置されるのである。
【００１４】
ここで、治具本体３を軒樋２に対して軒樋２の長手方向にスライドさせるときには、図３のように、つかみ突起９を掴んで押さえ片７を外方に引っ張り（矢印Ａ）、押さえ片７を軒樋２に弾接させないようにしておく。つまり、押さえ片７が軒樋２に弾接されてしまうと、治具本体３を軒樋２に対してスライドさせたときには押さえ片７が軒樋２に引き摺られるように治具本体３のスライドが為されるので、スライド時のすべり抵抗が大きくてスムーズなスライドを行うことができなかったり、軒樋２の外側（表面）に押さえ片７による引っ掻き傷がついてしまう恐れを有するのであるが、本例のようにつかみ突起９を掴んで押さえ片７を軒樋２に弾接させないようにさせておくと、スムーズなスライドを確保できると共に軒樋２の外側（表面）に傷がつく恐れも排除できるのである。
【００１５】
一方、治具本体３を軒樋２に対して軒樋２の長手方向にスライドさせた後で、治具本体３を軒樋２の長手方向の所定位置に配置したときには、図４のように、つかみ突起９を離すのである。これによると、押さえ片７が治具本体３の内方に弾性復帰して軒樋２に弾接され（矢印Ｂ）、この押さえ片７の軒樋２への弾接により治具本体３が軒樋２に固定される。つまり、この押さえ片７によると軒樋２の長手方向の所定位置に配置した軒樋切断治具１を軒樋２に固定させるので、軒樋２を切断する切断刃５をガイドするガイド部６の位置がずれることがなくなり、軒樋２の仕上り良い切断を確保することができるのである。
【００１６】
上述したように、本例の軒樋切断治具１は、その治具本体３に軒樋２に弾接する弾性変形可能な押さえ片７を備えたから、軒樋２の長手方向の任意位置に配置した軒樋切断治具１をずれないように固定でき、軒樋２の仕上り良い切断を確保することができるのでありながら、また上記押さえ片７には治具本体３の外方に突出せるつかみ突起９が備えられているから、治具本体３の軒樋２への位置調節の際に治具本体３を軒樋２に対してスライドさせるときには、つかみ突起９を掴んで押さえ片７を軒樋２に弾接させないようにでき、治具本体３の軒樋２への位置調節をスムーズに行えると共に、押さえ片７による軒樋２への引っ掻き傷も無くすることができるのである。
【００１７】
なお、上記例では、押さえ片７は治具本体３の前壁被覆部１７に１つ設けているが、後壁被覆部１８や底壁被覆部１６に設けてもよく、また複数の押さえ片７を治具本体３の適宜場所に設けてもよい。また、上記例では、ガイド部６を図６の従来例と同じガイド壁２２で構成しているが、図７の従来例と同じスリット２３で構成してもよい。また、軒樋２を切断する切断具４は電動鋸２４を想定しているが、手で挽くのこぎりでもよい。また、上記例では、軒樋２の種類としては断面角型が挙げられ、治具本体３も断面角型形状に形成されているが、軒樋２が前耳部１３や後耳部１４を有した断面半円型のものにも、本発明を適用できるのは言うまでもない。
【００１８】
【発明の効果】
以上説明したように、本発明では、軒樋の外面に弾接させて治具本体を軒樋に固定させる押さえ片を治具本体に設けたので、軒樋の長手方向の任意位置に被着した治具本体を押さえ片によって軒樋に固定でき、切断刃をガイドするガイド部の位置ズレを防止できて軒樋の仕上り良い切断を確保することができるのである。
【図面の簡単な説明】
【図１】本発明の実施の形態の例の軒樋切断治具であり、（ａ）は側面図であり、（ｂ）は正面図である。
【図２】同上の軒樋切断治具の斜視図である。
【図３】同上の軒樋切断治具の軒樋への位置決め配置を説明する説明図であり、（ａ）は軒樋切断治具を軒樋の長手方向にスライドさせる状態の斜視図であり、（ｂ）はそのときの押さえ片の操作を説明する軒樋切断治具の側面図である。
【図４】同上の軒樋切断治具の軒樋への位置決め配置を説明する説明図であり、（ａ）は軒樋切断治具を軒樋の長手方向の所定位置に配置した状態の斜視図であり、（ｂ）はそのときの押さえ片の操作を説明する軒樋切断治具の側面図である。
【図５】同上の軒樋切断治具を用いて軒樋を切断する状態を示す斜視図である。
【図６】従来技術の例の軒樋切断治具を示す（ａ）は側断面図であり、（ｂ）は正面図である。
【図７】従来技術の他例の軒樋切断治具を軒樋に配置した状態の斜視図である。
【符号の説明】
１  軒樋切断治具
２  軒樋
３  治具本体
６  ガイド部
７  押さえ片
８  貫通孔
９  つかみ突起
２２  ガイド壁
【図１】
2005016116.tif 000003
【図２】
2005016116.tif 000004
【図３】
2005016116.tif 000005
【図４】
2005016116.tif 000006
【図５】
2005016116.tif 000007
【図６】
2005016116.tif 000008
【図７】
2005016116.tif 000009